(57)【要約】【課題】操作性が良好で且つキャッシュレスで商品販売が可能な自動販売機を提供する。【解決手段】主制御装置２０は、商品選択ボタン１４の押下を検出すると該商品選択ボタン１４に対応する商品の販売機金額をカードユニット９に通知し、該カードユニット９において電子財布として機能する非接触ＩＣカード８とに間で決済を行い、決済が完了したら押下された商品選択ボタン１４に対応する商品を搬出するようにした。【選択図】　図１
2004145471.tif 000002
【特許請求の範囲】
【請求項１】
商品を収納する商品収納部と、商品選択用の商品選択ボタンと、該商品収納部に収納された商品を搬出する商品搬出装置と、該商品搬出装置を制御する主制御装置とを備えた自動販売機において、
アンテナと制御部とを備えるとともに電子財布として機能する非接触ＩＣチップとの間で無線通信によりデータの読み書きを行う読込書込装置を備え、
前記主制御装置は、待機状態時に商品選択ボタンの押下を検知すると前記読込書込装置に対して該商品選択ボタンに対応する商品の金額を通知するとともに、読込書込装置から決済完了の通知を受信すると前記商品搬出装置に対して商品搬出を指示し、
前記読込書込装置の制御部は、主制御装置から前記金額の通知を受信すると前記非接触ＩＣチップと通信可能状態にするとともに、通信圏内に入った非接触ＩＣチップとの間で前記金額についての決済を行い、決済が完了すると主制御装置に決済完了を通知する
ことを特徴とする自動販売機。
【請求項２】
投入された現金額等を表示する表示装置と、
前記読込書込装置のアンテナ近傍に設けられた残額表示スイッチとを備え、
前記読込書込装置の制御部は、前記残額表示スイッチの押下を検知すると前記非接触ＩＣチップと通信可能状態にするとともに、通信圏内に入った非接触ＩＣチップから残額を読み取り、該残額を主制御装置に通知し、
前記主制御装置は、前記読込書込装置から残額通知を受信すると前記表示装置に該残額を表示する
ことを特徴とする請求項１記載の自動販売機。
【請求項３】
前記読込書込装置の制御部は、主制御装置から前記金額の通知を受信してから所定時間内に前記非接触ＩＣチップと通信が確立できない場合には、主制御装置に取引中止を通知する
ことを特徴とする請求項１又は２何れか１項記載の自動販売機。
【請求項４】
前記読込書込装置の制御部は、前記非接触ＩＣチップとの通信が確立する前に主制御装置から金額の通知を複数回受信した場合、受信した金額の合計額で決済を行い、
主制御装置は、読込書込装置から決済完了の通知を受信すると前記商品搬出装置に対して各金額通知に対応する複数の商品の搬出を指示する
ことを特徴とする請求項１乃至３何れか１項記載の自動販売機。
【発明の詳細な説明】
【０００１】
【発明の属する技術分野】
本発明は、非接触ＩＣカードなど非接触ＩＣチップを利用して決済可能な自動販売機に関し、特にその販売シーケンスに関するものである。
【０００２】
【従来の技術】
近年、様々な分野で非接触ＩＣカードが普及してきており、特に非接触ＩＣカードを電子財布として使用する形態が普及しつつある。ここで非接触ＩＣカードとは非接触で通信可能なＩＣチップが埋設されたカードを意味し、読取書込装置からの電波による電源供給で動作するものである。このような電子財布として使用される非接触ＩＣカードの利用形態として、キャッシュレスで商品販売可能な自動販売機が登場してきている。以下、この種の自動販売機について従来の技術を説明する。
【０００３】
従来の自動販売機は、非接触ＩＣカードに対してデータの読み込み及び書き込みを行うリードライタと、投入された硬貨の種別及び真偽を識別する硬貨識別装置と、商品収納部に収納された商品を取出口に搬出する商品搬出装置と、販売商品を選択する商品選択ボタンと、これらを制御する主制御部とを備えている。また、この自動販売機は通常は現金販売モードで待機しており、現金販売モードから電子マネーによる販売モードに変更するための販売開始ボタンを備えている。この自動販売機において利用者がキャッシュレスで商品を購入する場合、まず、販売開始ボタンを押下する。次に、所望の商品に対応する商品選択ボタンを押下する。最後に、非接触ＩＣカードをリードライタの近くにかざす。非接触ＩＣカードに記録されている電子マネーの残額が商品代金以上であれば、自動販売機と非接触ＩＣカードとの間で決済処理が行われ、商品が搬出される（例えば特許文献１参照）。
【０００４】
【特許文献１】
特開２００１−１６７３３１号公報
【０００５】
【発明が解決しようとする課題】
しかし、上記従来の自動販売機では、商品購入の際に販売開始ボタンを押下するステップ・商品選択ボタンを押下するステップ・非接触ＩＣカードをかざすステップという３つのステップを必要としており、現金を投入するステップ・選択ボタンの押下するステップという従来の現金販売時よりも利便性が悪いものであった。そこで、従来のものよりも更に利便性の高い自動販売機が望まれていた。
【０００６】
本発明は、上記事情に鑑みてなされたものであり、その目的とするところは、操作性が良好で且つキャッシュレスで商品販売が可能な自動販売機を提供することにある。
【０００７】
【課題を解決するための手段】
上記目的を達成するために、請求項１の発明は、商品を収納する商品収納部と、商品選択用の商品選択ボタンと、該商品収納部に収納された商品を搬出する商品搬出装置と、該商品搬出装置を制御する主制御装置とを備えた自動販売機において、アンテナと制御部とを備えるとともに電子財布として機能する非接触ＩＣチップとの間で無線通信によりデータの読み書きを行う読込書込装置を備え、前記主制御装置は、待機状態時に商品選択ボタンの押下を検知すると前記読込書込装置に対して該商品選択ボタンに対応する商品の金額を通知するとともに、読込書込装置から決済完了の通知を受信すると前記商品搬出装置に対して商品搬出を指示し、前記読込書込装置の制御部は、主制御装置から前記金額の通知を受信すると前記非接触ＩＣチップと通信可能状態にするとともに、通信圏内に入った非接触ＩＣチップとの間で前記金額についての決済を行い、決済が完了すると主制御装置に決済完了を通知することを特徴とする。
【０００８】
本発明によれば、商品販売時に利用者が行うステップは、商品選択ボタンを押下するステップ・「非接触ＩＣチップを有するもの」をアンテナの近傍にかざすステップという２つのステップで完了するので、利便性の高いものとなる。なお、「非接触ＩＣチップを有するもの」とは、例えば該チップを埋め込んだカード，リストバンド，ストラップ，腕時計，携帯電話，ＰＤＡなどが挙げられる。
【０００９】
また、請求項２の発明は、請求項１記載の自動販売機において、投入された現金額等を表示する表示装置と、前記読込書込装置のアンテナ近傍に設けられた残額表示スイッチとを備え、前記読込書込装置の制御部は、前記残額表示スイッチの押下を検知すると前記非接触ＩＣチップと通信可能状態にするとともに、通信圏内に入った非接触ＩＣチップから残額を読み取り、該残額を主制御装置に通知し、前記主制御装置は、前記読込書込装置から残額通知を受信すると前記表示装置に該残額を表示することを特徴とする。
【００１０】
本発明によれば、利用者は商品を購入することなく非接触ＩＣチップにおける電子マネーの残額を確認することができるので利便性が向上する。特に、残額表示スイッチを読込書込装置のアンテナ近傍に設けたので、利用者がＩＣカード等の非接触ＩＣチップを有するものを手に持ちながら残額表示スイッチを押せば直ちに残額が読みとられ、該残額が表示装置に表示される。すなわち、残額確認時に利用者が行うステップは、「非接触ＩＣチップを有するもの」を手に持ちながら残額表示スイッチを押下するという１つのステップで完了するので、利便性の高いものとなる。
【００１１】
また、請求項３の発明は、請求項１又は２何れか１項記載の自動販売機において、前記読込書込装置の制御部は、主制御装置から前記金額の通知を受信してから所定時間内に前記非接触ＩＣチップと通信が確立できない場合には、主制御装置に取引中止を通知することを特徴とする。
【００１２】
本発明によれば、現金販売を希望する利用者が誤操作等により現金投入以前に商品選択ボタンを押してしまった場合でも、該ボタン押下から所定時間経過すれば非接触ＩＣチップでの決済が中止されるので、その後通常の現金販売の処理を開始できる。
【００１３】
さらに、請求項４の発明は、請求項１乃至３何れか１項記載の自動販売機において、前記読込書込装置の制御部は、前記非接触ＩＣチップとの通信が確立する前に主制御装置から金額の通知を複数回受信した場合、受信した金額の合計額で決済を行い、主制御装置は、読込書込装置から決済完了の通知を受信すると前記商品搬出装置に対して各金額通知に対応する複数の商品の搬出を指示することを特徴とする。
【００１４】
本発明によれば、非接触ＩＣチップを用いた１回の決済で複数の商品を販売することができる。すなわち、商品購入時に利用者が行うステップは、商品選択ボタンを複数押下するステップ・「非接触ＩＣチップを有するもの」をアンテナの近傍にかざすステップという２つのステップで完了するので、利便性の高いものとなる。
【００１５】
【発明の実施の形態】
本発明の一実施の形態に係る自動販売機について図面を参照して説明する。図１は自動販売機の正面図、図２はカードユニットの正面図、図３はカードユニットの図２におけるＡ線断面図である。
【００１６】
本実施の形態では、電子財布として機能する非接触ＩＣチップが内蔵されたものを利用することによりキャッシュレスで商品販売が可能な自動販売機について説明する。非接触ＩＣチップが内蔵されたものには、例えば、カード，リストバンド，ストラップ，腕時計，携帯電話，ＰＤＡなどが挙げられる。本実施の形態では、カードに非接触ＩＣチップを埋め込んだ非接触ＩＣカード（以下、単に「ＩＣカード」という）を例にして説明する。
【００１７】
非接触ＩＣチップは、ＣＰＵとメモリとアンテナとを備えており、後述する自動販売機のカードユニットからの電力供給により該カードユニットとの間で無線通信が可能となっている。非接触ＩＣチップとカードユニット間の通信は暗号化されておりセキュリティの向上が図られている。各非接触ＩＣチップのメモリには、各チップを一意に識別可能なＩＤ及び電子マネーの残額が記憶されている。
【００１８】
本実施の形態に係る自動販売機１の前面には、図１に示すように、商品見本（図示省略）を収納した商品見本収納部２と、収納商品の搬出口３と、硬貨投入口４と、紙幣投入口５と、返金用レバー６と、商品金額等を表示する７セグメントＬＥＤ等からなる表示装置７と、ＩＣカード８との間で非接触で通信を行うカードユニット９が設けられている。搬出口３には、商品搬出装置１０によって搬出された商品が搬出される。硬貨投入口４と紙幣投入口５の内側には、それぞれ硬貨識別装置１１及び紙幣識別装置１２が配置されている。商品見本収納部２には、販売可能ランプ１３を内蔵した商品選択ボタン１４が各商品毎に付設されている。
【００１９】
カードユニット９は、図２及び図３に示すように、上端を支軸９１により回動自在に設けられた回動板９２が箱形の筐体の前面に設けられている。支軸９１には回動板９２を前方に付勢するバネ（図示省略）が設けられており、これにより通常時は回動板９２の下端は筐体の前面と数ｍｍ程度の間隔を保っている。また、カードユニット９の内部には、支軸９１に付設した回動部材９３により接点がＯＮ／ＯＦＦされるマイクロスイッチからなる残額表示スイッチ９４が設けられている。これにより、筐体に押しつけるように回動板９２に対して付勢すると該回動板９２及び同軸に設けられた回動部材９３が回動し、この回動部材９３により残額表示スイッチ９４がオンとなる。回動板９２への付勢をやめれば支軸９１に設けられたバネにより回動板９２は前方に復帰し、残額表示スイッチ９４はオフとなる。さらに、カードユニット９の内側であって回動板９２の後方にはＩＣカード８との通信用のアンテナ９５が付設されている。このような構造により、利用者がＩＣカード８を手に持ちながら回動板９２を押下すると、残額表示スイッチ９４が回動板９２の押下を検出した時にはＩＣカード８がカードユニット９の近傍に存在していることになるので、この時点で両者間の通信を確実に行えるようになっている。
【００２０】
次に、本自動販売機１の制御系システムについて図４を参照して説明する。図４は自動販売機の制御系のブロック図である。なお、図４では、説明を簡単にするため本発明の要旨部分のみを図示した。
【００２１】
自動販売機１の制御系システムは、図４に示すように、ＩＣカード８との間で非接触で情報の読み取り・書き込みを行うカードユニット９と、商品搬出装置１０と、硬貨識別装置１１と、紙幣識別装置１２と、販売可能ランプ１３と、商品選択ボタン１４と、表示装置７と、これらの装置を制御する主制御装置２０と、これら各装置を相互に接続するバス２１と、主制御装置２０を外部ネットワークに接続するための通信装置２２とを備えている。なお、図４では省略したが、返却レバー６に付設されたスイッチ、圧縮機等の冷却機器等もバス２１に接続されている。
【００２２】
カードユニット９は、前記残額表示スイッチ９４と、前記アンテナ９５と、ＩＣカードとの間で通信を確立し各種データの読み取り・書き込みを非接触で行うカードリードライタ本体（以下「カードＲ／Ｗ本体」という）９６と、主制御装置２０からの指示に基づきカードＲ／Ｗ本体９６の動作を制御するカードＲ／Ｗ制御部９７と、バス２１とのインタフェイスである通信制御部９８とを備えている。
【００２３】
カードＲ／Ｗ本体９６は、アンテナからの電波の放射を制御してＩＣカード８との通信を可能な状態にすること及びその解除を行うこと、通信圏内に入ったＩＣカード８の認証を行うこと、ＩＣカード８における電子マネー残額など各種データの読み取り／書き込みを行うこと、などの処理を行う。また、ＩＣカード８との間で電子マネーの決済を行った際には、その決済情報を図示しないメモリ内に記憶しておき、この決済情報を前記通信装置２２を介して決済用コンピュータ（図示省略）に送信する。この決済情報のデータとしては、例えば図５に示すように、カードＩＤ，カードＲ／Ｗ本体の識別ＩＤ，決済日時，決済額などが挙げられる。
【００２４】
主制御装置２０は、バス２１とのインタフェイスである通信制御部２０１と、カードユニット９や商品搬出装置１０等を制御して収納商品の販売制御を行う販売制御部２０２と、販売情報を蓄積する販売情報データベース２０３とを備えている。販売情報データベース２０３に蓄積されるデータとしては、例えば図６に示すように、販売日時，販売商品の商品コード，ＩＣカード８で決済を行った場合はそのカードＩＤなどが挙げられる。販売情報データベース２０３に蓄積されたデータは、通信装置２２を介して管理用コンピュータ（図示省略）に送信される。
【００２５】
次に、本自動販売機１の動作について図７乃至図１２を参照して説明する。図７は待機時における動作を説明するフローチャートである。図７に示すように、本自動販売機１は、待機時には、硬貨識別装置１１及び紙幣識別装置１２に現金が投入された否か（ステップＳ１）、商品選択ボタン１４が押下されたかどうか（ステップＳ３）、残額表示スイッチ９４が押下されたかどうか（ステップＳ５）を監視している。そして、現金投入を検知したら現金による商品販売の処理（ステップＳ２）に処理を移行し、商品選択ボタン１４の押下を検知したらＩＣカード８を用いた決済による商品販売の処理（ステップＳ４）に処理を移行し、残額表示スイッチ９４の押下を検知したらＩＣカード８の残金を表示する処理（ステップＳ６）に移る。以下、上記ステップＳ２，Ｓ４，Ｓ６の各処理について説明する。
【００２６】
まず、図８を参照して現金販売処理について説明する。図８は現金販売処理時のフローチャートである。この現金販売処理は、従来の自動販売機と同様であり、まず投入された金額以下の金額に設定された商品について、対応する販売可能ランプ１３を点灯させる（ステップＳ１１）。現金が追加投入された場合は、前記ステップＳ１１に処理を移す（ステップＳ１２）。また、返金用レバー６が操作された場合には返金処理を行うべく処理をステップＳ１７に移す（ステップＳ１３）。そして、販売可能ランプ１３が点灯している商品選択ボタン１４の押下を検知したら（ステップＳ１４）、商品搬出装置１０を制御して対応商品を搬出する（ステップＳ１５）。投入金額から販売商品金額を引いた残額が、０以上且つ全商品のうちの最低売価より低い場合には（ステップＳ１６）、残額の返金動作を行う（ステップＳ１７）。残額が最低売価以上の場合は、商品の連続購入を可能にするため処理をステップＳ１１に移す。以上のステップにより、硬貨や紙幣などの現金を用いて商品の販売が可能となる。
【００２７】
次に、図９及び図１０を参照してＩＣカード８による決済を行う商品販売（カード販売）の処理について説明する。図９はカード販売時のフローチャート、図１０はカード販売時における主制御装置２０・カードＲ／Ｗ制御部９７・カードＲ／Ｗ本体９６間のデータの流れを説明するシーケンスチャートである。
【００２８】
前述のように待機状態において商品選択ボタン１４が押下されることによりカード販売処理が開始されると、まず、主制御装置２０は商品選択ボタン１４に付設された販売可能ランプ１３を点灯させる（ステップＳ２１）。次に、当該ボタン１４に対応する商品の販売金額を表示装置７に表示する（ステップＳ２２）。そして、主制御装置２０は、カードユニット７のカードＲ／Ｗ制御部９７に販売金額を通知する（ステップＳ２３，図１０のステップＳ２３ａ）。カードＲ／Ｗ制御部９７は、受信した販売金額でＩＣカード８から引き落としをする旨をカードＲ／Ｗ本体９６に通知する（図１０のステップＳ２３ｂ）。カードＲ／Ｗ本体９６は、電波の放射を開始してＩＣカード８との通信可能状態に移行する（ステップＳ２４）。この段階で、他の商品選択ボタン１４が押下されたら、前記商品選択をやり直しをすべく処理をステップＳ２１に移す（ステップＳ２５）。なお、商品の再選択の際には、前回選択された商品の販売可能ランプ１３を消灯させればよい。
【００２９】
他の商品選択ボタン１４が押下されず、一方でカードＲ／Ｗ本体９６がその通信圏内にＩＣカード８が入ったことを検出すると（ステップＳ２６）、カードＲ／Ｗ本体９６は、ＩＣカード８から電子マネー残額を読み取り、電子マネー残額が販売金額以上の場合には（ステップＳ２７）決済処理を行う（ステップＳ２８）。次いで、カードＲ／Ｗ本体９６は、決済処理が正常終了すると、電子マネー残額とともに決済完了通知をカードＲ／Ｗ制御部９７を介して主制御装置２０に通知する（ステップＳ２９，図１０のステップＳ２９ａ，Ｓ２９ｂ）。主制御装置２０は、カードＲ／Ｗ制御部９７から受信した通知が正常終了であるならば（ステップＳ３０）商品搬出装置１０を制御して商品を搬出し（ステップＳ３１）、正常終了の旨の通知をカードＲ／Ｗ制御部９７を介してカードＲ／Ｗ本体９６に通知する（図１０のステップＳ３２ａ，Ｓ３２ｂ）。該通知を受信したカードＲ／Ｗ本体９６は、ＩＣカード８との通信可能状態を解除する（ステップＳ３３）。
【００３０】
なお、主制御装置２０は、商品搬出後にはカードＲ／Ｗ本体９６から受信した電子マネー残額を表示装置７に表示すると好適である。また、図示は省略したが、商品選択ボタン１４が押下されてから所定時間内にＩＣカード８との通信が確立できなかった場合は、カードＲ／Ｗ本体９６がカードＲ／Ｗ制御部９７を介して主制御装置２０に対して取引中止の旨を通知するとともに、該通知を受信した主制御装置２０は販売可能ランプ１３の消灯等のキャンセル処理を行う。同様に、商品選択ボタン１４が押下されてから返金用レバー６が操作された場合には、主制御装置２０がカードＲ／Ｗ制御部９７を介してカードＲ／Ｗ本体９６に対して取引中止の旨を通知するとともに、販売可能ランプ１３の消灯等のキャンセル処理を行う。
【００３１】
また、前記ステップＳ２８での決済処理が正常終了しない場合の理由の１つとしては、電子マネー残額が販売金額未満であることが挙げられる。この場合、カードユニット９に設けたブザーやランプなどを用いて警告を表示すると好適である。そして、カードＲ／Ｗ本体９６がカードＲ／Ｗ制御部９７を介して主制御装置２０に対して取引中止の旨及び電子マネー残額を通知するとともに、該通知を受信した主制御装置２０が、販売可能ランプ１３の消灯等のキャンセル処理、及び、表示装置７への電子マネー残額の点滅表示処理を行うとよい。
【００３２】
以上のステップにより、利用者は、商品選択ボタン１４を押下するステップ・ＩＣカード８をカードユニット９にかざすステップという２つのステップで商品購入が可能となる。
【００３３】
次に、図１１及び図１２を参照してＩＣカード８の電子マネー残額を表示装置７に表示する処理（残額表示処理）について説明する。図１１は残額表示処理時のフローチャート、図１２は残額表示処理時における主制御装置２０・カードＲ／Ｗ制御部９７・カードＲ／Ｗ本体９６間のデータの流れを説明するシーケンスチャートである。
【００３４】
ここでは、利用者がＩＣカード８を手に持ってカードユニット９の回動板９２を押下することを想定している。この回動板９２の押下により残額表示スイッチ９４のオンが検知される。前述のように待機状態において残額表示スイッチ９４のオンが検知されることにより残額表示処理が開始されると、まず、カードＲ／Ｗ制御部９７はカードＲ／Ｗ本体９６に対して残額読み取り依頼の通知を行う（図１２のステップ４１）。該通知を受信したカードＲ／Ｗ本体９６は、電波の放射を開始してＩＣカード８との通信可能状態に移行する（ステップＳ４２）。カードＲ／Ｗ本体９６がその通信圏内にＩＣカード８が入ったことを検出すると（ステップＳ４３）、ＩＣカード８から電子マネー残額を読み取り（図１２のステップＳ４４）、該電子マネー残額をカードＲ／Ｗ制御部９７を介して主制御装置２０に通知する（ステップＳ４５，図１２のステップＳ４５ａ，Ｓ４５ｂ）。該通知を受信した主制御装置２０は、受信した電子マネー残額を表示装置７に表示し（ステップＳ４６）、正常終了の旨の通知をカードＲ／Ｗ制御部９７を介してカードＲ／Ｗ本体９６に通知する（図１２のステップＳ４７ａ，Ｓ４７ｂ）。該通知を受信したカードＲ／Ｗ本体９６は、ＩＣカード８との通信可能状態を解除する（ステップＳ４８）。
【００３５】
なお、図示は省略したが、ＩＣカード８を手に持たずに回動板９２を押下した場合などのように、残額表示スイッチ９４のオンが検知されてから所定時間内にＩＣカード８との通信が確立できなかった場合は、カードＲ／Ｗ本体９６がカードＲ／Ｗ制御部９７を介して主制御装置２０に対して取引中止の旨を通知するとともに、該通知を受信した主制御装置２０は所定のキャンセル処理を行う。
【００３６】
以上のステップにより、利用者は、ＩＣカード８を手に持ってカードユニット９の回動板９２を押下するステップという１つのステップのみでＩＣカード８の電子マネー残額を確認することができる。
【００３７】
このように、本実施の形態に係る自動販売機１によれば、ＩＣカード８を用いた商品購入のステップが、商品選択ボタン１４を押下するステップ・ＩＣカード８をカードユニット９にかざすステップという２つのステップだけで完了するので、従来の自動販売機より利便性が向上する。また、ＩＣカード８を手に持ってカードユニット９の回動板９２を押下するステップという１つのステップのみでＩＣカード８の電子マネー残額を確認することができるので更に利便性の高いものとなる。
【００３８】
以上、本発明の一実施の形態について説明したが、本発明はこれに限定されるものではない。例えば、上記実施の形態では、待機状態で商品選択ボタン１４が押下された後に他の商品選択ボタン１４が押下された場合には、最初の商品選択ボタン１４に対応する商品販売はキャンセルされ、後の商品選択ボタン１４に対応する商品販売を行うようにしていたが、双方の商品を同時に販売するようにしてもよい。この場合の動作について図９及び図１３を参照して説明する。図１３は、カード販売時における主制御装置２０・カードＲ／Ｗ制御部９７・カードＲ／Ｗ本体９６間のデータの流れを説明するシーケンスチャートである。
【００３９】
この場合、前述した図９のステップＳ２２において、２回目移行の商品選択ボタン１４の押下の場合には表示装置７に商品金額の合計額を表示するとともに（図１３のステップＳ２２’）、カードＲ／Ｗ制御部９７に商品の販売金額を通知する。ここで、販売金額の通知は２回目移行であっても商品単体の金額である。そして、カードＲ／Ｗ制御部９７は、２回目移行の販売金額の通知を受信した際には、前回までに受信した販売金額の合計額を算出し、カードＲ／Ｗ本体９６に対して前回通知した決済額をキャンセルするとともに前記合計額を決済額として決済を行うように通知する（図１３のステップＳ２３ｂ’）。また、主制御装置２０は、カードＲ／Ｗ制御部９７から決済完了通知を受信ししたら、複数押下された各商品選択ボタン１４に対応する各商品を順次搬出する（図１３のステップＳ３１’）。これにより、複数の商品をまとめて販売することができる。
【００４０】
また、上記実施の形態では、残額表示スイッチ９４としてマイクロスイッチを光センサなどの他の検知手段を用いてもよい。
【００４１】
【発明の効果】
以上詳述したように、請求項１の発明によれば、商品販売時に利用者が行うステップは、商品選択ボタンを押下するステップ・「非接触ＩＣチップを有するもの」をアンテナの近傍にかざすステップという２つのステップで完了するので、利便性の高いものとなる。
【００４２】
また、請求項２の発明によれば、利用者は商品を購入することなく非接触ＩＣチップにおける電子マネーの残額を確認することができるので利便性が向上する。特に、残額表示スイッチを読込書込装置のアンテナ近傍に設けたので、利用者がＩＣカード等の非接触ＩＣチップを有するものを手に持ちながら残額表示スイッチを押せば直ちに残額が読みとられ、該残額が表示装置に表示される。すなわち、残額確認時に利用者が行うステップは、「非接触ＩＣチップを有するもの」を手に持ちながら残額表示スイッチを押下するという１つのステップで完了するので、利便性の高いものとなる。
【００４３】
さらに、請求項３の発明によれば、現金販売を希望する利用者が誤操作等により現金投入以前に商品選択ボタンを押してしまった場合でも、該ボタン押下から所定時間経過すれば非接触ＩＣチップでの決済が中止されるので、その後通常の現金販売の処理を開始できる。
【００４４】
さらに、請求項４の発明によれば、非接触ＩＣチップを用いた１回の決済で複数の商品を販売することができる。すなわち、商品購入時に利用者が行うステップは、商品選択ボタンを複数押下するステップ・「非接触ＩＣチップを有するもの」をアンテナの近傍にかざすステップという２つのステップで完了するので、利便性の高いものとなる。
【図面の簡単な説明】
【図１】自動販売機の正面図
【図２】カードユニットの正面図
【図３】カードユニットの図２におけるＡ線断面図
【図４】自動販売機の制御系のブロック図
【図５】決済データの一例を説明する図
【図６】販売情報の一例を説明する図
【図７】待機状態における自動販売機の動作を説明するフローチャート
【図８】現金販売処理時における自動販売機の動作を説明するフローチャート
【図９】カード販売処理時における自動販売機の動作を説明するフローチャート
【図１０】カード販売処理時における自動販売機の動作を説明するシーケンスチャート
【図１１】残金確認処理時における自動販売機の動作を説明するフローチャート
【図１２】残金確認処理時における自動販売機の動作を説明するシーケンスチャート
【図１３】カード販売処理時における自動販売機の動作を説明するシーケンスチャート
【符号の説明】
１…自動販売機、２…商品見本収納部、３…商品搬出口、４…硬貨投入口、５…紙幣投入口、６…返金用レバー、７…表示装置、８…非接触ＩＣカード、９…カードユニット、９１…支軸、９２…回動板、９３…回動部材、９４…残額表示スイッチ、９５…アンテナ、９６…カードＲ／Ｗ本体、９７…カードＲ／Ｗ制御部、９８…通信制御部、１０…商品搬出装置、１１…硬貨識別装置、１２…紙幣識別装置、１３…販売可能ランプ、１４…商品選択ボタン、２０…主制御装置、２０１…通信制御部、２０２…販売制御部、２０３…販売情報データベース、２１…バス、２２…通信装置
【図１】
2004145471.tif 000003
【図２】
2004145471.tif 000004
【図３】
2004145471.tif 000005
【図４】
2004145471.tif 000006
【図５】
2004145471.tif 000007
【図６】
2004145471.tif 000008
【図７】
2004145471.tif 000009
【図８】
2004145471.tif 000010
【図９】
2004145471.tif 000011
【図１０】
2004145471.tif 000012
【図１１】
2004145471.tif 000013
【図１２】
2004145471.tif 000014
【図１３】
2004145471.tif 000015